(57)【要約】【課題】把持対象物を把持する際に、安定して操作ができ、把持対象物を把持しやすい把持具を提供する。【解決手段】把持対象物を挟むための一対の把持部１０ａ，１０ｂ、一対の把持部１０ａ，１０ｂのそれぞれに、把持対象物を挟む際に使用者の指で押さえるための押さえ部４０ａ，４０ｂ、一対の把持部１０ａ、１０ｂを連結する連結部２０、及び、連結部２０に、一対の把持部１０ａ、１０ｂと略垂直方向に設けられた支持部３０と、を備えるとともに、押さえ部４０ａ，４０ｂに、使用者が操作する際に滑り止めとなる滑り止め部４１ａ，４１ｂを有する把持具１。【選択図】図１
2020199587.tif 000002
【特許請求の範囲】
【請求項１】
把持対象物を挟むための一対の把持部と、
前記一対の把持部を連結する連結部と、
前記連結部に、前記一対の把持部と略垂直方向に設けられた支持部と、
を備えたことを特徴とする把持具。
【請求項２】
請求項１に記載の把持具において、
前記一対の把持部のそれぞれに、前記把持対象物を挟む際に使用者の指で押さえるための押さえ部を備えたことを特徴とする把持具。
【請求項３】
請求項２に記載の把持具において、
前記一対の把持具のそれぞれに設けられた前記押さえ部の少なくとも一方に、使用者の指で押さえた際に滑らないような滑り止め部が形成されていることを特徴とする把持具。
【請求項４】
請求項１〜請求項３の何れか１項に記載の把持具において、
前記一対の把持部の先端の少なくとも一方が把持対象物を切断するための刃部が形成されていることを特徴とする把持具。
【発明の詳細な説明】
【技術分野】
【０００１】
本発明は、使用者が指先で操作して物を把持したり、簡単な工作作業を行ったりすることができる把持具に関する。
【背景技術】
【０００２】
従来、把持対象物を挟んだ状態でロックすることができ、かつ把持力を無段階で自在に調整することができるロック機能付きピンセットがある。
このロック機能付きピンセットは、ピンセット本体とロック機構とを備えている。ピンセット本体は、把持対象物を挟むための一対の挟持部と、側面視した際にその重なり部に連穿されている長孔を備え、かつ一対の挟持部のそれぞれに延設されている把持部と、この把持部において挟持部が延設されていない側の端部が一体に接合されてなる連結部と、を備えている。また、ロック機構は、ピンセット本体の長孔に軸が挿通されているボルトと、この長孔から導出されている軸に螺嵌されているナットとを備えている。
【０００３】
上記従来のロック機能付きピンセットでは、ロック機構のボルト及びナットを緩めることにより、挟持部で把持対象物を把持する範囲を広げた状態で把持対象物を挟持し、その状態でボルト及びナットを締め付けロック状態にすることで把持対象物を確実に把持することができるようになっている（例えば、特許文献１参照）。
【先行技術文献】
【特許文献】
【０００４】
【特許文献１】特願２０１９−０３０９５５号公報
【発明の概要】
【発明が解決しようとする課題】
【０００５】
上記従来のロック機能付きピンセットでは、把持対象物を確実に把持することは可能であるが、把持する際のピンセットの操作自体は、通常のピンセットと同じであり、使用者が指先で持って操作する場合に安定性がなく、把持対象物の形状や材質などによっては、把持しにくい場合もあるという問題があった。
【０００６】
本発明は、こうした問題に鑑みなされたもので、把持対象物を把持する際に、安定して操作ができ、把持対象物を把持しやすい把持具を提供することを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
本発明の適用例１に係る把持具（１）は、
把持対象物を挟むための一対の把持部（１０ａ，１０ｂ）と、
前記一対の把持部（１０ａ，１０ｂ）を連結する連結部（２０）と、
前記連結部（２０）に前記一対の把持部（１０ａ，１０ｂ）と略垂直方向に取り付けられた支持部（３０）と、
を備えたことを要旨とする。
【０００９】
このような把持具（１）では、一対の把持部（１０ａ，１０ｂ）を連結している連結部（２０）に対して略垂直方向に支持部（３０）が設けられている。したがって、把持具（１）の使用者が、一対の把持部（１０ａ，１０ｂ）で把持対象物を挟む際、例えば、人差し指と親指とを一対の把持具（１）のそれぞれの外側面に当接させて一対の把持部（１０ａ，１０ｂ）を開閉させる際に、支持部（３０）を使用者の掌の内側に当接させることが可能となる。
【００１０】
すると、一対の把持部（１０ａ，１０ｂ）を開閉させる際に支持部（３０）を使用者の掌の内側で支えることができるため、安定した状態で把持部（１０ａ，１０ｂ）の開閉を行うことが可能となり、把持対象物を把持しやすい把持具（１）とすることができる。
【００１１】
［適用例２］
適用例２に記載の把持具（１）は、適用例１に記載の把持具（１）において、
前記一対の把持部（１０ａ，１０ｂ）のそれぞれに、前記把持対象物を挟む際に使用者の指で押さえるための押さえ部（４０ａ，４０ｂ）を備えたことを要旨とする。
【００１２】
このような把持具（１）では、使用者が把持対象物を挟む際に、一対の把持部（１０ａ，１０ｂ）のそれぞれに設けられている押さえ部（４０ａ，４０ｂ）を指で押さえて開閉作動を行うことができるので、より使いやすい把持具（１）とすることができる。
【００１３】
［適用例３］
適用例３に記載の把持具（１）は、適用例２に記載の把持具（１）において、
前記一対の把持具（１０ａ，１０ｂ）のそれぞれに設けられた前記押さえ部（４０ａ，４０ｂ）の少なくとも一方に、使用者の指で押さえた際に滑らないような滑り止め部（４１ａ，４１ｂ）が形成されていることを要旨とする。
【００１４】
このような把持具（１）では、使用者の指で押さえられる押さえ部（４０ａ，４０ｂ）に滑り止め部（４１ａ，４１ｂ）が設けられているため、使用者が一対の把持部（１０ａ，１０ｂ）を操作する際に滑りにくくなる。したがって、使用者の指先の操作により、一対の把持部（１０ａ，１０ｂ）を捻ったり、長手方向の逆方向に動かしたりすることが可能となり、使いやすい把持具（１）となる。
【００１５】
［適用例４］
適用例３に記載の把持具（１）は、適用例１〜適用例３の何れか１項に記載の把持具（１）において、
前記一対の把持部（１０ａ，１０ｂ）の先端の少なくとも一方が把持対象物を切断するための刃部（５０ａ，５０ｂ）が形成されていることを要旨とする。
【００１６】
このような把持具（１）では、一対の把持部（１０ａ，１０ｂ）の先端の少なくとも一方に把持対象物を切断するための刃部（５０ａ，５０ｂ）が形成されている。したがって、一対の把持部（１０ａ，１０ｂ）により把持対象物の切断と把持とを行うことができ、使いやすい把持具（１）となる。
【図面の簡単な説明】
【００１７】
【図１】把持具の概略の構成を示す外観図である。
【図２】把持具の展開図である。
【図３】第２実施形態における把持具の一対の把持部の先端部分の側面の概略の形状を示す図である。
【発明を実施するための形態】
【００１８】
以下、本発明が適用された実施形態について適宜図面を用いて説明する。なお、本発明の実施の形態は、下記の実施形態に何ら限定されることはなく、本発明の技術的範囲に属する限り種々の形態を採りうる。
【００１９】
［第１実施形態］
（把持具１の構成）
図１及び図２に基づき把持具１の構成について説明する。図１は、把持具１の概略の構成を示す外観図であり、図２は、把持具１の展開図である。
【００２０】
図１に示すように、把持具１は、一対の把持部１０ａ，１０ｂ、連結部２０、支持部３０及び押さえ部４０ａ，４０ｂを備えている。
図２に示すように、把持具１は、一対の把持部１０ａ，１０ｂ、連結部２０、支持部３０及び押さえ部４０ａ，４０ｂを、金属の板材をプレス加工などにより一体成型した成形材６０を曲げ加工して製作されている。なお、本実施形態では、金属の板材として板厚０．８［ｍｍ］のＳＵＳ３０４にクロームメッキを施した板材を使用している。
【００２１】
曲げ加工は、下記の（ア）〜（ウ）に示す工程を行う。
（ア）把持部１０ａと把持部１０ｂが対向し、かつ、それぞれの先端部分１１ａ，１１ｂ同士が長手方向の同じ位置となるように、連結部２０を湾曲曲げ加工する。このとき、曲げ加工後に、把持部１０ａと把持部１０ｂの先端部分１１ａ，１１ｂ同士が所定の間隔だけ離隔する状態となるように湾曲させる。
【００２２】
（イ）把持部１０ａと把持部１０ｂの先端部分１１ａ，１１ｂの近傍を連結部２０の湾曲方向と逆方向に湾曲させるように曲げ加工し、いわゆる反りを形成する。このとき、曲げ加工後に、把持部１０ａと把持部１０ｂの先端部分１１ａ，１１ｂ同士が所定の間隔だけ離隔する状態となるように湾曲させる。
（ウ）押さえ部４０ａ，４０ｂを、連結部２０の湾曲方向の外側に折り曲げる。
このように曲げ加工を行うことにより、図１に示す把持具１が形成される。
【００２３】
一対の把持部１０ａ，１０ｂは、対向しており、使用者が指などで操作する(挟む動作を行う）ことにより、先端部分１１ａ，１１ｂで把持対象物を把持するようになっている。また、一対の把持部１０ａ，１０ｂの先端部分１１ａ，１１ｂは、先端に向けて細くなるように成形されている。また、先端部分１１ａ，１１ｂの内側面には複数の凹凸を形成し、把持対処物が滑らないようになっている。
【００２４】
連結部２０は、一対の把持部１０ａ，１０ｂを連結する部分であり、前述のように、一対の把持部１０ａ，１０ｂとともに一体成型されて湾曲している。
支持部３０は、使用者が一対の把持部１０ａ，１０ｂを指先で操作する際に、掌に当接させて把持具１を安定させる部分であり、前述のように、連結部２０の略中心部分に設けられ、前述のように、連結部２０や一対の把持部１０ａ，１０ｂと一体成型されている。
【００２５】
押さえ部４０ａ，４０ｂは、使用者が一対の把持部１０ａ，１０ｂを指先で操作する際に、指の先端や腹の部分で押さえるために、一対の把持部１０ａ，１０ｂの両方の外縁から突出させた部分である。
【００２６】
また、押さえ部４０ａ，４０ｂは、一対の把持部１０ａ，１０ｂの略中間部分に設けられており、前述のように一対の把持部１０ａ，１０ｂなどと一体成型されている。
さらに、押さえ部４０ａ，４０ｂには、滑り止め部４１ａ，４１ｂが設けられている。滑り止め部４１ａ，４１ｂは、一対の把持部１０ａ，１０ｂにおいて、押さえ部４０ａ．４０ｂの位置に設けた窪みである。
【００２７】
使用者がこの窪みに指先や指の腹の部分を当接させることにより、指先や指の腹の部分と押さえ部４０ａ，４０ｂとの接触面積が増えるため、指が滑りにくくなる。したがって、したがって、使用者の指先の操作により、一対の把持部１０ａ，１０ｂを捻ったり(図１中Ｙ方向で把持部１０ａ，１０ｂをそれぞれ逆向きに動かす）、把持部１０ａと把持部１０ｂとをそれぞれ長手方向（図１中Ｘ方向）に逆方向に動かしたりすることが可能となり、使いやすい把持具１となる。
【００２８】
（把持具１の特徴）
以上のような把持具１では、使用者が、一般的なピンセットなどと同じように、人差し指と親指などで把持対象物を挟む際に、支持部３０が掌に当接する。したがって、掌で支持部３０を支えることが可能となるため、使用者が把持具１を操作する際に安定して操作することができ、扱いやすい把持具１とすることができる。
【００２９】
また、使用者が把持具１を操作する際、押さえ部４０ａ，４０ｂがあることにより、指先などによる操作が行いやすくなるため、より使いやすい把持具１となる。
さらに、把持具１を形成している金属の板材の剛性を低くすることにより、一対の把持部１０ａ，１０ｂを開閉させるだけでなく、開閉方向に対して垂直方向（把持部１０ａ，１０ｂの短手方向）に動かすこと、換言すれば、把持部１０ａと把持部１０ｂとを捻じることが可能となる。
【００３０】
したがって、把持対象物の形状などによっては、挟む際に捻じりを加えて挟むことができるため、使用者にとって使いやすい把持具１となる。
同様に、把持具１を形成している金属の板材の剛性を低くすることにより、一対の把持部１０ａ，１０ｂの先端部分１１ａ，１１ｂを互いに逆方向にスライドさせることができる。つまり、一対の把持部１０ａ，１０ｂの先端部分１１ａ，１１ｂを開閉方向に対して垂直方向（把持部１０ａ，１０ｂの長手方向）に互いに逆方向に移動させることができる。
【００３１】
したがって、把持対象物がボルトなどの場合、ボルトの頭部を一対の把持部１０ａ，１０ｂの先端部分１１ａ，１１ｂで挟みながら回転させることが可能となり、使用者にとって使いやすい把持具１となる。
【００３２】
さらに、把持具１を形成している金属の板材の剛性を低くすることにより、一対の把持部１０ａ，１０ｂを開閉させるだけでなく、開閉方向に対して垂直方向（把持部１０ａ，１０ｂの短手方向）に動かすこと、換言すれば、把持部１０ａと把持部１０ｂとを捻じることが可能となる。
【００３３】
したがって、把持対象物の形状などによっては、挟む際に捻じりを加えて挟むことができるため、使用者にとって使いやすい把持具１となる。
【００３４】
［第２実施形態］
次に図３に基づき、第２実施形態の把持具１について説明する。図３は、第２実施形態における把持具１の一対の把持部１０ａ，１０ｂの先端部分１１ａ，１１ｂの側面の概略の形状を示す図である。
【００３５】
第２実施形態における把持具１は、一対の把持部１０ａ，１０ｂの先端部分１１ａ，１１ｂに刃部５０ａ，５０ｂが形成されている以外は、第１実施形態における把持具１と同じであるため、同じ部分についての説明は省略し、異なる部分についてのみ説明する。
【００３６】
図３に示すように、一対の把持部１０ａ，１０ｂの先端部分１１ａ及び先端部分１１ｂに、それぞれ刃部５０ａ及び刃部５０ｂを形成する。
刃部５０ａは、把持部１０ａの先端部分１１ａの一方の内側縁部に形成され、刃部５０ｂは、把持部１０ａの先端部分１１ａにおいて、刃部５０ａに対向する内側縁部に形成されている。
【００３７】
このように、第２実施形態における把持具１は、把持部１０ａ，１０ｂの先端部分１１ａ，１１ｂに刃部５０ａ，５０ｂが対向して形成されている。また、一対の把持部１０ａ，１０ｂ及び先端部分１１ａ，１１ｂは、薄い金属の板材であるため、一対の把持部１０ａ，１０ｂの操作により捻じりを加え、先端部分１１ａ，１１ｂを交差させることができる。したがって、刃部５０ａ，５０ｂにより、把持対象物の切断と把持とを行うことができ、使いやすい把持具１となる。
【００３８】
［その他の実施形態］
（１）上記実施形態では、成形材６０を曲げ加工して湾曲させて連結部２０を形成していたが、折り曲げ加工によって連結部２０を形成してもよい。
【００３９】
（２）上記実施形態では、一対の把持部１０ａ，１０ｂと連結部２０とを一体成型していたが、把持部１０ａと把持部１０ｂと別々の金属の板材で形成し、それぞれの後端部分（先端部分１１ａ，１１ｂの反対の端部分）を溶接やリベットなどで結合して連結部２０としてもよい。
【００４０】
（３）上記実施形態では、支持部３０を一対の把持部１０ａ，１０ｂの長手方向と略垂直となるようにしていたが、把持具１の大きさや使用形態によっては、使用者が掌で支えやすいように、一対の把持部１０ａ，１０ｂの長手方向に対して角度を持たせるようにしてもよい。
【００４１】
（４）上記実施形態では、支持部３０を連結部２０などと一体成型していたが、支持部３０を連結部２０などと一体成型せず、別の部材として、例えば、円筒形状で、一端部分を平面上に圧縮し、圧縮した部分を連結部２０に溶接やリベットなどで固定するようにしてもよい。
【００４２】
（５）上記第２実施形態では、一対の把持部１０ａ，１０ｂにそれぞれ刃部５０ａ，５０ｂを形成していたが、一対の把持部１０ａ，１０ｂのいずれか一方のみに刃部を形成してもよい。
【００４３】
（６）上記実施形態では、把持具１の素材として、金属の板材を用いていたが、熱可塑性樹脂のＣＦＲＰ（炭素繊維強化プラスチック）やＧＦＲＰ（ガラス繊維強化プラスチック）あるいは、プラスチックなどの樹脂材を用いてもよい。
【００４４】
（７）上記実施形態では、押さえ部４０ａ，４０ｂのそれぞれに滑り止め部４１ａ，４１ｂを形成していたが、滑り止め部４１ａ，４１ｂをどちらか一方に設けるようにしてもよい。
【００４５】
（８）また、滑り止め部４１ａ，４１ｂを窪みで実現していたが、窪み以外に、複数の凹凸を形成するなどして、摩擦力を上げるようにしたり、窪みと凹凸を併用するようにしたりしてもよい。
【００４６】
（９）上記実施形態では、先端部分１１ａ，１１ｂが先端に向けて細くなるように形成していたが、用途によっては先端に向けて細くなるようにせず、太いままとなるように形成したり、先端が丸くなるように形成したりしてもよい。
【符号の説明】
【００４７】
１… 把持具  １０ａ，１０ｂ… 把持部  １１ａ，１１ｂ… 先端部分  ２０… 連結部  ３０… 支持部  ４０ａ，４０ｂ… 押さえ部  ４１ａ，４１ｂ… 滑り止め部  ５０ａ，５０ｂ… 刃部  ６０… 成形材。
【図１】
2020199587.tif 000003
【図２】
2020199587.tif 000004
【図３】
2020199587.tif 000005